(57)【要約】【課題】建築土木等の施工管理と申請書等各種書類作成業務の効率向上と施工ミスを低減する。【解決手段】工事の遂行に必要な業務支援情報を蓄積した業務支援情報データベース９と、工事現場側で得られた現場側情報を蓄積する現場側情報データベース１０と、業務支援情報を作成して業務支援情報データベースに蓄積し管理するサーバ８と、業務支援情報データベースから所要の工種の業務支援情報を閲覧して所要の工場現場に適合した現場工事情報に調整し、この現場工事情報により示す工程に作業者を割り当てて作業情報を作成し、この作業情報と作業実施状況を含む現場工事情報を現場側情報データベースに登録する作業指示者端末４と、この作業指示者端末から作業情報を含む現場工事情報を閲覧し、この作業情報で示す作業に対する現場での実施状況を入力し、作業指示者端末を介して現場側情報データベースに登録させる作業者端末と、を具備している。【選択図】  図１
2004355526.tif 000002
【特許請求の範囲】
【請求項１】
工事の工種別に標準化された工程管理表や作業手順書等工程に関する標準工程情報及びこれら工事の作業を遂行するために必要な申請書や施工図面等の工事資料情報を含む工事の遂行に必要な業務支援情報を蓄積した業務支援情報データベースと、
上記工事の工事現場側で得られた現場側情報を蓄積する現場側情報データベースと、
上記業務支援情報を作成して上記業務支援情報データベースに蓄積し管理する業務支援情報管理手段と、
上記業務支援情報データベースから所要の工種の上記業務支援情報を閲覧して所要の工場現場に適合した現場工事情報に調整する業務支援情報調整手段及びこの業務支援情報調整手段により調整された現場工事情報により示す工程に作業者を割り当てて作業情報を作成する作業情報作成手段及びこの作業情報と作業実施状況を含む現場工事情報を上記現場側情報データベースに登録する作業情報登録手段を有する作業指示者端末と、
この作業指示者端末から上記作業情報を含む現場工事情報を閲覧する現場工事情報閲覧手段及びこの作業情報で示す作業に対する現場での実施状況を入力し、上記作業指示者端末を介して上記現場側情報データベースに登録させる作業実施状況登録手段を有する作業者端末と、
を具備していることを特徴とする仕事ナビゲーションシステム。
【請求項２】
上記作業情報作成手段は、上記作業情報に、上記標準工程を詳細に示す詳細工程とこれら詳細工程の作業手順を詳細に示す詳細作業手順書とを示す情報を含むように構成されていることを特徴とする請求項１記載の仕事ナビゲーションシステム。
【請求項３】
上記作業情報作成手段は、上記作業情報を、日別の作業内容を作業担当者別に示すように構成されていることを特徴とする請求項１記載の仕事ナビゲーションシステム。
【請求項４】
上記作業情報作成手段は、上記作業情報を、作業期限がその所定日前に到達したときに警報を出力するように構成されていることを特徴とする請求項１記載の仕事ナビゲーションシステム。
【請求項５】
上記作業情報作成手段は、上記作業情報を、所定日の作業内容と全体の作業工程との関連を工種別に示すように構成されていることを特徴とする請求項１記載の仕事ナビゲーションシステム。
【請求項６】
上記作業情報作成手段は、上記作業情報を、複数の作業者の作業進捗状況を示すように構成されていることを特徴とする請求項１記載の仕事ナビゲーションシステム。
【請求項７】
上記業務支援情報管理手段は、上記現場側情報データベースに登録された現場側情報を標準化して業務支援情報として上記業務支援情報データベースに登録する現場側情報標準化手段を有することを特徴とする請求項１記載の仕事ナビゲーションシステム。
【請求項８】
上記作業指示者端末及び作業者端末の少なくとも一方は、上記現場側情報データベースに登録された上記現場工事情報中の少なくとも上記工事資料情報を工種別に閲覧する工事資料情報閲覧手段を有することを特徴とする請求項１記載の仕事ナビゲーションシステム。
【請求項９】
工事の工種別に標準化された工程管理表や作業手順書等工程に関する標準工程情報及びこれら工事の作業を遂行するために必要な申請書や施工図面等の工事資料情報を含む工事の遂行に必要な業務支援情報を業務支援情報データベースに蓄積するステップと、
上記工事の工事現場側で得られた現場側情報を現場側情報データベースに蓄積するステップと、
上記業務支援情報を業務支援情報管理手段により作成して上記業務支援情報データベースに蓄積し管理するステップと、
作業指示者端末により上記業務支援情報データベースから所要の工種の上記業務支援情報を閲覧して所要の工場現場に適合した現場工事情報に調整するステップと、
作業指示者端末により調整された現場工事情報により示す工程に作業者を割り当てて作業情報を作成するステップと、
作業指示者端末によりこの作業情報と作業実施状況を含む現場工事情報を上記現場側情報データベースに登録するステップと、
作業者端末により上記作業指示者端末から上記作業情報を含む現場工事情報を閲覧するステップと、
作業者端末によりこの作業情報で示す作業に対する現場での実施状況を入力し、上記作業指示者端末を介して上記現場側情報データベースに登録させるステップと、
を具備していることを特徴とする仕事ナビゲーション方法。
【発明の詳細な説明】
【０００１】
【発明の属する技術分野】
本発明は、建築土木等の工事において、作業者が実施すべき作業等を適宜ナビゲートする仕事ナビゲーションシステム及びその方法に関する。
【０００２】
【従来の技術】
近年、建築土木業界等では、施工のスピード化や所轄官庁等への提出書類の電子化等の顧客要求の高度化と、ＩＳＯ９００１やＩＳＯ１４００１への対応により現場で作成すべき書類の増大等により、建築土木現場における作業者１人当りの業務ないし負担が増大してきている。
【０００３】
このために、施工管理のための時間が十分にとれず、作業工程や作業手順の見落しの増大や作業者各人のノウハウのばらつき等からくる施工精度や施工期間等のばらつき等の課題が発生している。
【０００４】
また、従来の施工管理については、紙の工程管理表や作業手順書等に基づいて施工管理者が直接作業者に指示ないし指導管理することにより行なわれており、コンピュータシステム等によりシステム化されたものはなかった。
【０００５】
【発明が解決しようとする課題】
このために、従来の施工管理では、所轄官庁やＩＳＯへの申請書や施工図面等各種書類（文書）等、工事資料の作成業務効率が低く、多くの時間がとられているという課題がある。
【０００６】
また、建築土木等の作業を確実に遂行させるためのスケジュール管理とそのチェックが不十分であり、さらに工程の見落しや手違いが発生し易いという課題がある。
【０００７】
本発明はこのような事情を考慮してなされたもので、その目的は、建築土木等、工事の施工管理と申請書等各種書類作成業務の効率向上と施工ミスを低減することができる仕事ナビゲーションシステム及びその方法を提供することにある。
【０００８】
【課題を解決するための手段】
本発明は上記課題を解決するために次のように構成される。
【０００９】
すなわち、本願請求項１に係る発明は、工事の工種別に標準化された工程管理表や作業手順書等工程に関する標準工程情報及びこれら工事の作業を遂行するために必要な申請書や施工図面等の工事資料情報を含む工事の遂行に必要な業務支援情報を蓄積した業務支援情報データベースと、上記工事の工事現場側で得られた現場側情報を蓄積する現場側情報データベースと、上記業務支援情報を作成して上記業務支援情報データベースに蓄積し管理する業務支援情報管理手段と、上記業務支援情報データベースから所要の工種の上記業務支援情報を閲覧して所要の工場現場に適合した現場工事情報に調整する業務支援情報調整手段及びこの業務支援情報調整手段により調整された現場工事情報により示す工程に作業者を割り当てて作業情報を作成する作業情報作成手段及びこの作業情報と作業実施状況を含む現場工事情報を上記現場側情報データベースに登録する作業情報登録手段を有する作業指示者端末と、この作業指示者端末から上記作業情報を含む現場工事情報を閲覧する現場工事情報閲覧手段及びこの作業情報で示す作業に対する現場での実施状況を入力し、上記作業指示者端末を介して上記現場側情報データベースに登録させる作業実施状況登録手段を有する作業者端末と、を具備していることを特徴とする仕事ナビゲーションシステムである。
【００１０】
請求項２に係る発明は、上記作業情報作成手段は、上記作業情報に、上記標準工程を詳細に示す詳細工程とこれら詳細工程の作業手順を詳細に示す詳細作業手順書とを示す情報を含むように構成していることを特徴とする請求項１記載の仕事ナビゲーションシステムである。
【００１１】
請求項３に係る発明は、上記作業情報作成手段は、上記作業情報を、日別の作業内容を作業担当者別に示すように構成されていることを特徴とする請求項１記載の仕事ナビゲーションシステムである。
【００１２】
請求項４に係る発明は、上記作業情報作成手段は、上記作業情報を、作業期限がその所定日前に到達したときに警報を出力するように構成されていることを特徴とする請求項１記載の仕事ナビゲーションシステムである。
【００１３】
請求項５に係る発明は、上記作業情報作成手段は、上記作業情報を、所定日の作業内容と全体の作業工程との関連を工種別に示すように構成されていることを特徴とする請求項１記載の仕事ナビゲーションシステムである。
【００１４】
請求項６に係る発明は、上記作業情報作成手段は、上記作業情報を、複数の作業者の作業進捗状況を示すように構成されていることを特徴とする請求項１記載の仕事ナビゲーションシステムである。
【００１５】
請求項７に係る発明は、上記業務支援情報管理手段は、上記現場側情報データベースに登録された現場側情報を標準化して業務支援情報として上記業務支援情報データベースに登録する現場側情報標準化手段を有することを特徴とする請求項１記載の仕事ナビゲーションシステムである。
【００１６】
請求項８に係る発明は、上記作業指示者端末及び作業者端末の少なくとも一方は、上記現場側情報データベースに登録された上記現場工事情報中の少なくとも上記工事資料情報を工種別に閲覧する工事資料情報閲覧手段を有することを特徴とする請求項１記載の仕事ナビゲーションシステムである。
【００１７】
請求項９に係る発明は、工事の工種別に標準化された工程管理表や作業手順書等工程に関する標準工程情報及びこれら工事の作業を遂行するために必要な申請書や施工図面等の工事資料情報を含む工事の遂行に必要な業務支援情報を業務支援情報データベースに蓄積するステップと、上記工事の工事現場側で得られた現場側情報を現場側情報データベースに蓄積するステップと、上記業務支援情報を業務支援情報管理手段により作成して上記業務支援情報データベースに蓄積し管理するステップと、作業指示者端末により上記業務支援情報データベースから所要の工種の上記業務支援情報を閲覧して所要の工場現場に適合した現場工事情報に調整するステップと、作業指示者端末により調整された現場工事情報により示す工程に作業者を割り当てて作業情報を作成するステップと、作業指示者端末によりこの作業情報と作業実施状況を含む現場工事情報を上記現場側情報データベースに登録するステップと、作業者端末により上記作業指示者端末から上記作業情報を含む現場工事情報を閲覧するステップと、作業者端末によりこの作業情報で示す作業に対する現場での実施状況を入力し、上記作業指示者端末を介して上記現場側情報データベースに登録させるステップと、を具備していることを特徴とする仕事ナビゲーション方法である。
【００１８】
【発明の実施の形態】
以下、本発明の実施形態を添付図面に基づいて説明する。
【００１９】
図１は本発明の一実施形態に係る仕事ナビゲーションシステム１の全体構成を、模式図と機能ブロック図とにより示すシステム構成図である。図２はこの仕事ナビゲーションシステム１の処理手順ないし方法の一例を示すプローチャートであり、図中Ｓ１〜Ｓ１６はこのフローチャートの各ステップを示し、また、Ｓ１Ａ〜Ｓ１４Ａは、これらステップＳ１〜Ｓ１６の処理時のコンピュータ表示画面の一例（テンプレート）をそれぞれ示し、図３〜図１５にそれぞれ示している。
【００２０】
図１に示すように仕事ナビゲーションシステム１は、例えば本社や支社等のバックオフィスに設置されるセンターシステム２と、建築土木等の工事現場の作業所３等に配置されて作業所長等の作業指示者により操作される作業指示者端末４と、同工事現場５の作業者６等により操作される作業者端末７とを具備しており、これら作業所４や工事現場５が現場側となる。
【００２１】
センターシステム２は、サーバ８、業務支援情報データベース９および現場側情報データベース１０を具備している。これらサーバ８、業務支援情報データベース９および現場側情報データベース１０は、ハードウエアとしては複数台のコンピュータシステムによりそれぞれ構成されてもよく、または、１台のコンピュータシステムをサーバソフトやデータベースソフトにより、サーバと各データベースとして機能させるように構成してもよい。
【００２２】
サーバ８は作業指示者端末４と図示しないインターネットまたは専用の電気通信回線を介して双方向データ通信可能に接続され、この作業指示者端末４と作業者端末７も無線または有線の電気通信回線を介して双方向データ通信可能に接続されている。
【００２３】
業務支援情報データベース９は、複数の工事の工種別に標準化された工程管理表や作業手順書等工程に関する標準工程情報と、これら工事の作業を遂行するために必要な申請書や施工図面等の工事資料情報と、を含む工事の遂行に必要な業務支援情報を蓄積したデータベースである。工事資料情報としては工事の実施のために所轄官庁等に提出することが必要な各種申請書や施工図面、ＩＳＯのための文書や図面等の書式、書式例や作成手順、作成例等がある。
【００２４】
現場側情報データベース１０は、現場側である現場事務所と工事現場５で得られた工事に関する現場側情報を蓄積するデータベースである。この現場側情報は業務支援情報データベース９に蓄積された業務支援情報を現場工事に適合した情報にアレンジ（調整）された工程管理表や作業手順書等工程に関する工程情報、工事の実施のために所轄官庁等に提出する必要のある、各種申請書やＩＳＯのための各種文書や図面等の工事資料情報等であり、作業指示者端末４と作業者端末７とによりアレンジされ、現場側情報データベース１０に登録されて蓄積される情報である。
【００２５】
サーバ８は業務支援情報管理手段８ａと現場側情報標準化手段８ｂとを備えている。
【００２６】
業務支援情報管理手段８ａは上記業務支援情報を予め作成して業務支援情報データベースに蓄積し管理するものである。
【００２７】
現場側情報標準化手段８ｂは現場側情報データベース１０に蓄積された現場側情報を業務支援情報に適合するように標準化して業務支援情報として現場側情報データベース１０に蓄積するものである。
【００２８】
一方、作業指示者端末４は、業務支援情報調整手段４ａ、作業情報作成手段４ｂおよび作業情報登録手段４ｃを備えている。
【００２９】
業務支援情報調整手段４ａは、業務支援情報データベースから所要の工種の標準工程や標準作業手順等、上記業務支援情報を閲覧して所要の工事現場に適合した現場工事情報に調整する機能を備えている。
【００３０】
作業情報作成手段４ｂは、現場工事情報調整手段により調整、作成された現場工事情報により示す工程に、作業者を割り当てて作業情報を作成する機能を有する。
【００３１】
作業情報登録手段４ｃは、作業情報と作業実施状況を含む現場工事情報を上記現場側情報データベース１０に登録する機能を有する。
【００３２】
作業者端末７は、例えばＰＤＡ（Ｐｅｒｓｏｎａｌ  Ｄｉｇｉｔａｌ  Ａｓｓｉｓｔａｎｔ）やＷｅｂ機能対応型の携帯電話器等の携帯情報端末からなる。但し、作業指示者端末４に有線の専用電気回線を介して図示しない無線局を接続し、この無線局を介して作業指示者端末４と作業者端末７とを無線で双方向データ通信可能に接続するように構成してもよい。作業者端末７は現場工事情報閲覧手段７ａと作業実施状況登録手段７ｂとを備えている。
【００３３】
現場工事情報閲覧手段７ａは、上記作業情報を含む現場工事情報を閲覧する機能を有する。作業実施状況登録手段７ｂは、作業情報で示す作業に対する現場での進捗状況等実施状況を入力し、作業指示者端末４を介して上記現場側情報データベース１０に登録させる機能を有する。
【００３４】
次に、このように構成された仕事ナビゲーションシステム１の作用ないし機能を図２に基づいて説明し、また、図３〜図１５に基づいて、その作用の際に使用するサーバ８、作業指示者端末４及び作業者端末７の表示画面の一例について説明する。
【００３５】
まず、図２のＳ１〜Ｓ５に示すように本社や支社等のバックオフィスのセンターシステム２側では、そのシステム管理者によりサーバ８の業務支援情報管理手段８ａを使用して業務支援情報を予め作成して業務支援情報データベース９に蓄積しておく。
【００３６】
すなわち、Ｓ１で、システム管理者は、サーバ８の業務支援情報管理手段８ａにより、業務支援情報データベース９を使用する権限を有するシステム管理者や作業指示者、作業者等のユーザと各種工事の作業を業務支援情報データベース９のマスタファイルに登録する。
【００３７】
図３はサーバ８のマスタ管理画面においてユーザ情報を登録する際のユーザマスタ登録画面Ｓ１Ａのテンプレートを示している。ユーザ情報としては、例えばユーザのＩＤ番号、氏名、パスワード、所属する作業所３や役割を示す所属コード、作業者端末７のメールアドレス、現場代理人等の権限レベル、コメント欄に登録されるジョイントベンチャ（ＪＶ）等企業の社員や社内の役職等がある。
【００３８】
また、このマスタ管理画面Ｓ１Ａのメール制御カレンダのタグでは、ユーザ毎の実働日や休日、出勤等が登録され、勤怠管理としても利用できる。
【００３９】
図４で示す作業マスタ登録画面Ｓ１Ｂは、マスタ管理の作業タグにおいて各種工事の作業を登録するための作業マスタ登録画面であり、例えば作業のコード番、作業の名称、作業の標準的所要時間等を登録する。作業マスタとしては、工種毎に作業の流れをまとめて並べて登録する工種マスタ、これら工種を並べて工事全体の流れを登録する工事マスタを有する。
【００４０】
図２に示すように、次のＳ２では、サーバ８の業務支援情報管理手段８ａにより工事資料情報である文書・書式の登録を行なう。ここで、文書・書式とは、種々の工種の作業を実施するために必要な種々の工種の作業手順書やチェックリスト、契約書、消防工事着工届、施主工事着手届、道路使用許可申請書等所轄官庁に提出することが必要な各種申請書等の文書やＩＳＯのために必要な各種文書（図６の作業・文書関連付け登録画面Ｓ３Ａ参照）、その書式、これらの例、図面等ドキュメント情報を業務支援情報データベース９のマスタファイルに登録する。
【００４１】
図５はこの文書・書式マスタ登録画面Ｓ１Ｃのテンプレートを示しており、例えばマスタ管理の情報タグにおいて、大，中，小の情報分類コードやその工事名（例えば地盤改良工事大分類、噴射撹拌工中，小分類等）、情報名（例えばＪＳＧＩ（噴射撹拌工）作業手順書等）、アクセスパスの指定等を登録することができる。アクセスパスを指定することにより、他のサーバに蓄積されている文書・書式等のドキュメント情報についてもマスタファイルに登録することができる。
【００４２】
また、この文書・書式マスタ登録画面Ｓ１Ｃの、例えば新規追加の表示ボタンをクリックして、情報の追加画面Ｓ１Ｄを開くことにより、文書や書式等ドキュメント情報の追加情報をマスタファイルに登録することができる。
【００４３】
図２に示すように次のＳ３では、図６で示す作業・文書関連付け登録画面Ｓ３Ａにより作業・文書関連付けを業務支援情報データベース９のマスタファイルに登録する。すなわち、上記図４で示す作業マスタ登録画面Ｓ１Ｂにより登録した各作業を検索し、これら作業に紐付く（関連する）情報及びこの情報を閲覧するためのツールを関係付け、これら関係付け情報をマスタファイルに登録しておく。これにより、検索した所要の作業から、その作業に必要な作業手順書や図面、そのチェックリスト、各種申請書等、工事資料情報を容易に抽出できる。
【００４４】
この後、図２に示すようにＳ４で、工種フローテンプレートを作成し、マスタファイルに登録する。ここで、工種フローテンプレートとは、作業標準のような手順書に基づいてフロー化したものであり、工種毎に作成してテンプレート、すなわち、標準工程として使用するものである。
【００４５】
すなわち、上記Ｓ３で関連付けをした所要の作業を作業標準に基づいて時系列に配列することにより工種フローテンプレートを作成する。
【００４６】
図７はこの工種フローテンプレート作成画面Ｓ４Ａの一例を示しており、この画面Ｓ４Ａはこの工種フローテンプレートを編集エリアに表示し、この編集エリアの図中左側の「作業」エリアには上記作業マスタ登録と、作業・文書関連付け登録にて作成登録された作業をツリー表示している。このために、このツリー表示の作業中から所要の作業をドラッグして編集エリアにドロップすることにより、その作業の工種フローテンプレートを表示させることができる。
【００４７】
また、工種フローテンプレート中の重点管理日等のマイルストーン（基準点）となる部分に、着工日から完了まで等種々のポイントを落し込むことにより、工程の期限を管理することができる。
【００４８】
以上、Ｓ１〜Ｓ４までの各登録ステップにより各種の業務支援情報が作成され、Ｓ５で業務支援情報データベース９に予め登録され、蓄積される。なお、上記各種業務支援情報の登録順は適宜変更してもよい。
【００４９】
一方、現場側である作業所３側では、所要の現場の作業所長またはこの作業所長の指示に従う作業職員Ａ，Ｂ等により作業指示者端末４を使用して業務支援情報データベース９から工種別の標準工程である工種別フローテンプレートを読み込み、この工種別フローテンプレートを現場に特有の事情に適合した現場工事情報にアレンジする。
【００５０】
すなわち、図２に示すようにまず、Ｓ７で工事フローを作成する。この工事フローの作成前には、所要の工事現場の特有の事情等に適合したマスタ工程表を手書き等により予め作成しておく。次に、このマスタ工程表の工種に合わせて、業務支援情報データベース９から読み出した工種テンプレートから必要な工種を選択し、工程順に配列して工事全体のフローである工事フローをアレンジして作成する。
【００５１】
なお、以下からは例えば「噴射撹拌工」についての作業の場合について説明する。
【００５２】
図８はこの工事フローを作成するための作業指示者端末４の工事フロー作成画面Ｓ７Ａのテンプレートを示している。この工事フロー作成画面Ｓ７Ａは、その工種フローのタグを開くことにより種々の工種のフローをツリーで表示するので、その所要の工種をドラッグして編集エリアでドロップすることにより、この編集エリアに工事フローを表示させることができる。また、編集エリア中の所要の工種、例えば「噴射撹拌工」を示すＰ１部分をマウスで右クリックしてポップアップメニュー中の「開く」を選択することにより、この「噴射撹拌工」の詳細な作業手順を示す画面に移動させることができる。
【００５３】
図２に示すように次のＳ８では、このように作業手順書に基づき作成された上記工種フローを、業務支援情報調整手段４ａにより担当現場に適合した工事フローにアレンジして現場工事情報に調整する。すなわち、業務支援情報データベース９から読み出した工種別フローテンプレートはあくまでも標準フローの作業であるので、作業の内容や項目等を種々の工事現場に適合させるために、追加や削除、変更等の調整を行なう必要がある。
【００５４】
図９はこの標準工事フローを業務支援情報調整手段４ａにより工場現場に適合した工事フローに調整し、現場側情報データベースＳ１５に登録するための工程フローアレンジ画面Ｓ８Ａを示している。この工程フローアレンジ画面Ｓ８Ａは、その編集エリアにおいて、標準工程フローをアレンジした工程フローを表示し、この編集エリアの左側のエリアには、作業名称をツリー表示すると共に、ポイントと交互に表示し得るように構成されている。
【００５５】
また、この工程フローアレンジ画面Ｓ８Ａは図中大矢印で示すように作業ツリー表示エリアと編集エリアとの間でドラッグ、ドロップすることができ、矢印の先端部がドロップする箇所を示している。
【００５６】
さらに、この工程フローアレンジ画面Ｓ８Ａの編集エリアに表示されている工程フローの所要の工種、例えばＰ２の「ＪＳＧ工」（噴射撹拌工）を開くと、図１０で示す作業割当て画面Ｓ９Ａが立ち上がり、表示される。
【００５７】
そこで、次のＳ９では、図２に示すように、作業情報作成手段４ｂにより作業の割当てを行なう。すなわち、作業情報作成手段４ｂの図１０で示す作業割当て画面Ｓ９Ａにより、例えば「ＪＳＧ工」の作業期間の設定、その作業期間の接近や徒過等の所要のアラーム発信条件や発信日時等の設定、各作業に対する作業者の割当てを行なう。
【００５８】
また、この作業割当て画面Ｓ９ＡのＰ３の「選択」により作業担当者（作業者、例えば「甲野一郎」）を選択すると、その割り当てられた作業者が実施すべき「作業一覧」に作業が追加される。また、作業を割り当てた際に、コメントをコメント欄に入力することにより、そのコメントを追加することができ、これにより作業情報が形成される。
【００５９】
そして、図２に示すように作業者は作業者端末７の現場工事情報閲覧手段７ａにより、上記工事現場用に調整された現場工事フローの各作業に割り当てられた作業者の作業情報を適宜閲覧することができる（図２のＳ１０参照）。
【００６０】
すなわち、図１１で示す作業者端末７の現場工事情報閲覧手段７ａにより形成される作業情報確認画面Ｓ１０Ａにより、作業指示者端末４を介して、または介さずに直接現場側情報データベース１０から、作業情報の一例である作業者毎の作業一覧を閲覧することができる。
【００６１】
図１１で示す作業情報確認画面Ｓ１０Ａには、選択した作業者の例えば「甲野一郎」さんの名前と、この「甲野一郎」さんが今日（閲覧日）実施すべき作業の一覧表と、作業の件数が表示される。作業一覧表には、作業名，作業の進捗率，作業の遅延日数，作業の開始日から終了の予定日，工程フロー名，工事フロー名が表示される。
【００６２】
また、この作業一覧表には、そのＰ４において、図１０で示す作業割当て画面Ｓ９Ａで割り当てられた作業の「ＪＳＧ工」が表示されている。
【００６３】
したがって、作業者（例えば、「甲野一郎」）は、この作業一覧表を閲覧することにより、ナビゲートされ、自己が今日実施すべき作業と、その作業の進捗率、遅延日数、作業の開始日から終了予定日を確認し、作業のし忘れ等を防止できる。
【００６４】
そして、この作業一覧表の所要の作業名、例えば「ＪＳＧ工」を開くと、図１２で示す作業詳細画面Ｓ１０Ｂが立ち上がり、作業詳細が表示される。すなわち、図１１で示す作業情報確認画面Ｓ１０Ａで選択した作業の内容やコメント、工事資料情報が表示される。工事資料情報を表示させる場合は、例えば作業詳細表示画面Ｓ１０Ｂ中のＰ４の所要の「情報」項目をクリックして選択すると、その選択した情報が立ち上がって表示される。図１２では今回「手順書」と「チェックリスト」が「情報」として添付されているので、情報欄Ｐ５にこれらが表示されている。
【００６５】
次に、図２のＳ１１に示すように作業者により作業者端末７を操作して文書・書式情報等の工事資料情報を閲覧する場合には、まず、図１３で示す文書・資料閲覧検索ダイアログ画面Ｓ１１Ｂを立ち上げて表示させ、これに検索に必要な検索ダイアログには検索するための情報を入力し、種々の切り口での検索を行なうことが可能である。その検索結果は図１３で示す文書・資料検索結果画面Ｓ１１Ｃに表示される。
【００６６】
そして、図２のＳ１２に示すように作業者が作業完了宣言を行なう場合は、作業者端末７の表示部に、図１２で示す作業詳細表示画面Ｓ１０Ｂを立ち上げて表示させ、図１４で示す作業完了宣言登録画面Ｓ１２Ａで示すように、その進捗率の欄Ｐ６に、１００％を入力して作業完了宣言文書を作成する。
【００６７】
この後、Ｐ５の「アップロード」表示ボタンをクリックすると、この作業完了宣言文書が作業指示者端末４にアップロードされる。
【００６８】
そこで、図２に示すように、次のＳ１３では、作業指示者端末４にアップロードされた作業完了宣言文を、作業所長やその職員Ａ，Ｂ等、作業完了承認権限者により承認されたか否か判断され、Ｙｅｓ、すなわち承認されたときに次のＳ１４へ進み、その作業完了宣言が現場側情報として現場側情報データベース１０に登録される。
【００６９】
図１５はこの現場側情報を現場側情報データベース１０に登録するための作業者指示端末４の表示部に表示される現場側情報登録画面Ｓ１４Ａを示している。この現場側情報登録画面Ｓ１４Ａには作業者（例えば、「乙野二郎」）の名前と、その作業者が実施すべき作業の一覧が表示される。
【００７０】
その作業一覧には、作業名，進捗率，遅延日数等の外に承認欄Ｐ７があり、ここに作業承認権限者による承認があれば、これが現場側情報の一部として現場側情報データベース１０に登録される。また、この現場側情報データベース１０には、工事代理人届等工事現場に適合した書式や文書等にアレンジされた文書・書式情報を含む現場の工事資料情報も登録される。
【００７１】
こうして現場側情報データベース１０に登録された現場側情報は、図２に示すようにサーバ８の現場側情報標準化手段８ｂにより標準化されて現場側情報データベース１０に登録され蓄積される。
【００７２】
したがって、この仕事ナビゲーションシステム１によれば、予め作成された工程管理表を含む工程情報等業務支援情報をサーバ８から作業指示者端末４と作業者端末７に与えるので、この作業指示者端末４を操作する工事現場の作業所長等作業指示権限者と、作業者端末７を操作する作業者とに、次に行なうべき作業をナビゲートすることができる。また、作業のスケジュールを管理するので、作業を確実に遂行させることができるうえに、作業の見落しや手違い、遅延を防止ないし低減することができる。このために、各種工事の施工を管理することができる。
【００７３】
さらに、作業指示者端末４と作業者端末７とにより、作業遂行上必要な作業手順書や施工図面等の書類、ＩＳＯや所轄官庁等申請先への各種申請書等の書類である工事資料を入手することができるので、作業指示者や作業者による工事資料の作成業務の効率を向上させることができる。
【００７４】
また、作業指示者端末４は、その業務支援情報調整手段４ａにより、業務支援情報データベース９からの業務支援情報の標準工程や標準文書等書類等を工事現場に適合した工程表や文書等書類にアレンジして現場側情報として作業者端末７に与えるので、この作業者端末７から現場側情報を入手する作業員は工事現場に適合した作業を実施することができる。
【００７５】
さらに、作業者端末７は、作業情報として業務支援情報データベース９からの標準工程を詳細に示す詳細工程と、その詳細手順とを、閲覧できるので、作業者各人の作業上のノウハウのばらつき等に起因する作業精度のばらつきや手違いを未然に防止ないし低減することができる。
【００７６】
また、作業者端末７は、作業情報として日別の作業内容を作業担当者別に示す情報を閲覧できるので、各作業者により日別の作業内容を担当者別に把握できる。
【００７７】
さらに、作業者端末７は、作業情報中の作業期限がその所定日前に到達したときに警報を出力するので、この作業者端末７を操作する作業者はその警報により作業期限が所定日前迄近付いたことを知ることができる。
【００７８】
また、作業者端末７は、作業情報として、所定日になすべき作業の内容と、全体の作業工程との関連を工種別に閲覧することができるので、作業者はこれら関連を工種別に把握することができる。
【００７９】
さらに、作業者端末７は、作業情報として、本人と他人等複数の作業者の作業進捗状況を閲覧することができるので、作業者は自己と他人との作業進捗状況を比較検討し、把握することができる。また、複数の作業者により作業進捗情報を共有することができるので、作業担当者不在時の作業の遅延を防止ないし抑制することができる。
【００８０】
さらにまた、サーバ８の現場側情報標準化手段８ｂは、現場側情報データベース１０に登録された現場に適合した工程管理表や文書・書式のドキュメント情報を含む現場側情報を標準化して業務支援情報に作成し、この業務支援情報を業務支援情報データベース９に蓄積するので、業務支援情報を増大させることができる。
【００８１】
【発明の効果】
以上説明したように本発明によれば、予め作成された工程管理表を含む工程情報等業務支援情報をサーバから作業指示者端末と作業者端末に与えるので、この作業指示者端末を操作する工事現場の作業所長等作業指示権限者と、作業者端末を操作する作業者とに、次に行なうべき作業をナビゲートすることができる。また、作業のスケジュールを管理するので、作業を確実に遂行させることができるうえに、作業の見落しや手違い、遅延を防止ないし低減することができる。このために、各種工事の施工を管理することができる。
【図面の簡単な説明】
【図１】本発明の一実施形態に係る仕事ナビゲーションシステムの全体構成を示すシステム構成図。
【図２】図１で示す仕事ナビゲーションシステムの作用を主に示すプロセスフローチャート。
【図３】図１で示すサーバのユーザマスタ登録画面のテンプレートを示す図。
【図４】図１で示すサーバの作業マスタ登録画面のテンプレートを示す図。
【図５】図１で示すサーバの文書・書式マスタ登録画面のテンプレートを示す図。
【図６】図１で示すサーバの作業・文書関連付け登録画面のテンプレートを示す図。
【図７】図１で示すサーバの工程フローテンプレート作成画面のテンプレートを示す図。
【図８】図１で示す作業指示者端末の工事フロー作成画面のテンプレートを示す図。
【図９】図１で示す作業指示者端末の工程フローアレンジ画面のテンプレートを示す図。
【図１０】図１で示す作業指示者端末の作業割当て画面のテンプレートを示す図。
【図１１】図１で示す作業者端末の作業情報確認画面のテンプレートを示す図。
【図１２】図１で示す作業者端末の作業詳細表示画面のテンプレートを示す図。
【図１３】図１で示す作業者端末の文書・資料閲覧検索ダイアログ画面と文書・資料検索結果画面のテンプレートを示す図。
【図１４】図１で示す作業者端末の作業完了宣言登録画面のテンプレートを示す図。
【図１５】図１で示す作業指示者端末の現場側情報登録画面のテンプレートを示す図。
【符号の説明】
１  仕事ナビゲーションシステム
２  センターシステム
３  作業所（現場側）
４  作業指示者端末
４ａ  業務支援情報調整手段
４ｂ  作業情報作成手段
４ｃ  作業情報登録手段
５  工事現場
６  作業者
７  作業者端末
７ａ  現場工事情報閲覧手段
７ｂ  作業実施状況登録手段
８  サーバ
８ａ  業務支援情報管理手段
８ｂ  現場側情報標準化手段
９  業務支援情報データベース
１０  現場側情報データベース
【図１】
2004355526.tif 000003
【図２】
2004355526.tif 000004
【図３】
2004355526.tif 000005
【図４】
2004355526.tif 000006
【図５】
2004355526.tif 000007
【図６】
2004355526.tif 000008
【図７】
2004355526.tif 000009
【図８】
2004355526.tif 000010
【図９】
2004355526.tif 000011
【図１０】
2004355526.tif 000012
【図１１】
2004355526.tif 000013
【図１２】
2004355526.tif 000014
【図１３】
2004355526.tif 000015
【図１４】
2004355526.tif 000016
【図１５】
2004355526.tif 000017